(57)【特許請求の範囲】
【請求項１】
車両のフロア上に着座部となる第１シート及び第２シートが配設された車両のシート構造であって、
前記第２シートには、前記フロアとの間に前記第１シートを折畳んだ姿勢にして収容することのできる収容空間が形成されており、
該収容空間の形成部には、該収容空間を外部に対して覆い囲む囲い部と、該囲い部を開閉式にして前記第１シートを前記収容空間内に収容できるようにする開閉蓋とが形成されており、
前記開閉蓋は、前記収容空間を前記第２シートの前面側から覆う配置とされていると共に、前記囲い部に対して開閉操作可能にヒンジ連結されており、該開閉蓋をヒンジ連結している連結具は、前記囲い部における開閉蓋の配設位置を後退させられるように該囲い部に対してスライド可能に組み付けられていることを特徴とする車両のシート構造。
【請求項２】
請求項１に記載の車両のシート構造であって、
前記囲い部は、上面部に開口を有した有底の箱型形状に形成されていると共に、前記フロアに対してスライド可能に構成されており、
該スライドによって前記囲い部が前記収容空間から外れ出ることにより該囲い部の上面部の開口が外部に露出するようになっていることを特徴とする車両のシート構造。
【請求項３】
請求項１又は請求項２に記載の車両のシート構造であって、
前記開閉蓋の開閉構造は、該開閉蓋を開いた位置で仮保持できるようになっていることを特徴とする車両のシート構造。
【請求項４】
請求項１から請求項３のいずれかに記載の車両のシート構造であって、
前記収容空間は、前記第２シートのシートクッションの下部に形成されており、
前記囲い部は、上面部に開口を有した形状となっており、
前記第２シートは、前記シートクッションを起こし上げて前記収容空間を外部に露出させられるようになっていることを特徴とする車両のシート構造。
【発明の詳細な説明】
【技術分野】
【０００１】
本発明は、車両のシート構造に関する。詳しくは、車両のフロア上に着座部となる第１シート及び第２シートが配設された車両のシート構造に関する。
【背景技術】
【０００２】
従来、車両のフロア上に複数列のシートが配設されているシート構造において、前側のシートを後側シートの下部空間内に収容できるようになっているものがある。ここで、下記特許文献１には、前側のシートをフロア上に畳み込んだ姿勢として、スライドによって後側シートの下部空間内に収容できるようになっている技術が開示されている。この後側シートは、着座部となるシートクッションが、内部に収容空間を有した枠体によってフロア上に固定設置された構成となっている。
【特許文献１】特開２００７−８３７８８号公報
【発明の開示】
【発明が解決しようとする課題】
【０００３】
しかし、上記開示の従来技術では、後側シート下に形成された収容空間は、前側シートを収容していない状態時には、有効利用されていなかった。
【０００４】
本発明は、上記した問題を解決するものとして創案されたものであって、本発明が解決しようとする課題は、シート下部に形成した他のシートを収容するための収容空間を、シート未収容時に有効利用できるようにすることにある。
【課題を解決するための手段】
【０００５】
上記課題を解決するために、本発明の車両のシート構造は次の手段をとる。
先ず、第１の発明は、車両のフロア上に着座部となる第１シート及び第２シートが配設された車両のシート構造である。第２シートには、フロアとの間に、第１シートを折畳んだ姿勢にして収容することのできる収容空間が形成されている。この収容空間の形成部には、収容空間を外部に対して覆い囲む囲い部と、囲い部を開閉式にして第１シートを収容空間内に収容できるようにする開閉蓋とが形成されている。
この第１の発明によれば、収容空間を囲う囲い部は、第１シートの未収容時には、開閉蓋を閉じることにより、外部から見えないように内部に物を収容したり取り出したりできるようになる。このように、第２シートの下部に形成した収容空間を、第１シートの未収容時に収容箱として機能する空間として有効利用することができる。
【０００６】
次に、第２の発明は、上述した第１の発明において、囲い部は、上面部に開口を有した有底の箱型形状に形成されていると共に、フロアに対してスライド可能に構成されている。このスライドによって囲い部が収容空間から出外れることにより、囲い部の上面部の開口が外部に露出するようになっている。
この第２の発明によれば、囲い部は、第１シートの未収容時には、スライドによって収容空間から出外れることにより、外部に露出した上面部の開口から物を収容したり取り出したりできるようになる。これにより、囲い部による収容空間の有効利用性を向上させることができる。
【０００７】
次に、第３の発明は、上述した第１又は第２の発明において、開閉蓋は、収容空間を第２シートの前面側から覆う配置とされていると共に、囲い部に対して開閉操作可能にヒンジ連結されている。開閉蓋をヒンジ連結している連結具は、囲い部における開閉蓋の配設位置を後退させられるように、囲い部に対してスライド可能に組み付けられている。
この第３の発明によれば、開閉蓋の配設位置を後退させられるようにしたことにより、第２シートの着座者の脚部が開閉蓋に当たり難くなる。したがって、着座感を害することなく、収容空間の有効利用性を向上させることができる。
【０００８】
次に、第４の発明は、上述した第１から第３のいずれかの発明において、開閉蓋の開閉構造は、開閉蓋を開いた位置で仮保持できるようになっている。
この第４の発明によれば、開閉蓋が開いた位置で仮保持されるようになっていることにより、第１シートやその他の物を収容空間内に収容したり取り出したりする操作を簡単に行えるようになる。これにより、収容空間の有効利用性を更に向上させることができる。
【０００９】
次に、第５の発明は、上述した第１から第４のいずれかの発明において、収容空間は、第２シートのシートクッションの下部に形成されている。囲い部は、上面部に開口を有した形状となっている。第２シートは、シートクッションを起こし上げて、収容空間を外部に露出させられるようになっている。
この第５の発明によれば、第２シートのシートクッションを起こし上げることにより、その下部から収容空間が外部に露出する。したがって、この露出した収容空間の開口から物を収容したり取り出したりできるようになり、収容空間の有効利用性を更に向上させることができる。
【発明を実施するための最良の形態】
【００１０】
以下に、本発明を実施するための最良の形態の実施例について、図面を用いて説明する。
【実施例１】
【００１１】
始めに、実施例１の車両のシート構造について、図１〜図８を用いて説明する。ここで、図１には、本実施例の車両のシート構造が側面視によって概略的に表されている。同図に示されるように、車両のフロアＦ上には、二列目シートとなるセカンドシート２０と三列目シートとなるサードシート３０とが車両の前後方向に並んで配設されている。ここで、セカンドシート２０が本発明の第１シートに相当し、サードシート３０が本発明の第２シートに相当する。なお、図示は省略されているが、セカンドシート２０の前列側には、運転席や助手席となるフロントシートが配設されている。
【００１２】
このうち、図示前列側に配設されたセカンドシート２０は、この列に座る二人〜三人の着座者を着座させることのできる横長状の幅長を有した構成となっている。そして、その後ろ側の列に配設されたサードシート３０も、この列に座る二人〜三人の着座者を着座させることのできる横長状の幅長を有した構成となっている。そして、本実施例では、上記した前列側のセカンドシート２０を折畳んでフロアＦ上に落とし込んだ姿勢に切り換えることにより、セカンドシート２０全体を後列側のサードシート３０下に形成された収容空間３４内にスライドさせて収容できるようになっている。
【００１３】
ここで、サードシート３０は、背凭れとなるシートバック３１と、着座部となるシートクッション３２とを有して構成されている。そして、このサードシート３０は、シートクッション３２の下部に設けられた枠状の支持体３３によって、フロアＦ上に固定支持されている。
【００１４】
この支持体３３は、その上枠部分が、シートクッション３２の骨格フレームと一体的に結合されている。そして、この支持体３３によって囲まれた空間部分が、車両前後方向に開口した収容空間３４として形成されている。この収容空間３４は、前述した折畳み姿勢としたセカンドシート２０をその内部に収めることのできる大きさに形成されている。そして、この収容空間３４内には、本発明の囲い部に相当する箱型の収容箱１０が配設されている。
【００１５】
この収容箱１０は、図２に示されるように、収容空間３４全体を外部に対して覆い隠すように配置形成されている。そして、この収容箱１０の前板は、開閉式の開閉蓋１５によって形成されている。これにより、収容箱１０は、開閉蓋１５の開閉操作によって、その内部空間を外部に対して開口させたり閉鎖したりできるようになっている。
【００１６】
上記した収容箱１０は、開閉蓋１５を開くことにより、その開口から前述した折畳み姿勢としたセカンドシート２０を箱内部に収め入れることができる。そして、収容箱１０は、セカンドシート２０を収容した状態で、開閉蓋１５を閉じることにより、セカンドシート２０を外部から見えないように覆い隠せるようになっている。そして、収容箱１０は、セカンドシート２０の未収容時には、同じように開閉蓋１５を開閉させることにより、箱の内部に物を収容したり取り出したりする用途としても使用できるようになっている。
【００１７】
また、収容箱１０は、その上面部が開口した形状となっており、図６に示されるように、これをスライドにより前方側に引き出すことで、その上面部の開口を外部に露出させられるようになっている。これにより、収容箱１０の上側の開口から物を収容したり取り出したりする使用が可能となる。また、図７に示されるように、サードシート３０は、シートクッション３２を後端を基点に起こし上げて、収容箱１０の上側の開口を外部に露出させられるようになっている。これにより、収容箱１０の上側の開口から物を収容したり取り出したりする使用が可能となる。
【００１８】
また、図８に示されるように、上述した収容箱１０の開閉蓋１５は、その配設位置を後方側に退避移動させられるようになっている。これにより、サードシート３０の着座者が脚部を後方側に引いても、脚部が開閉蓋１５に当たり難くなるため、着座感を害することなく収容箱１０を機能させられるようになっている。以下、収容箱１０の構成について詳しく説明する。
【００１９】
この収容箱１０は、図２に示されるように、底板１１と、両側板１２，１２と、後板１３と、天板１４と、開閉蓋１５と、によって箱型に形成されている。ここで、底板１１は、その前方領域が逃がし孔１１Ａとして幅方向に広く穴の開いた形状に形成されている。そして、底板１１の幅方向の各端部寄りの箇所には、逃がし孔１１Ａから更に後方側に延びる逃がし孔１１Ｂ，１１Ｂが形成されている。これら逃がし孔１１Ａや逃がし孔１１Ｂ，１１Ｂは、セカンドシート２０（図１参照）が収容箱１０の箱内部に収容される際に、セカンドシート２０の構成部材との干渉を回避するために形成されている。
【００２０】
具体的には、逃がし孔１１Ａは、フロアＦ上に落とし込まれた姿勢となるシートクッション２２の底面部との干渉を回避するように形成されている。また、逃がし孔１１Ｂ，１１Ｂは、図１において後述するセカンドシート２０に連結されたリンクアーム２４Ａ，２４Ｂやアッパレール２５Ａとの干渉を回避するように形成されている。そして、図２に戻って、側板１２，１２は、上述した底板１１の両側縁に沿って立設されている。
【００２１】
これら側板１２，１２には、その前端寄りの箇所に、収容箱１０を前方側に引き出す際の把手となる取っ手１２Ａ，１２Ａが貫通形成されている。そして、各側板１２，１２の前端寄りの上縁箇所には、この上縁に沿って前後方向に延びる長孔１２Ｈ，１２Ｈが貫通形成されている。そして、後板１３は、上述した底板１１の後縁に沿って立設されている。この後板１３は、底板１１と両側板１２，１２とに一体的に形成されている。
【００２２】
次いで、天板１４は、側板１２，１２の上縁同士を繋ぐ格好で配設されている。この天板１４は、上述した側板１２，１２に形成された長孔１２Ｈ，１２Ｈの形成領域を上側から覆うように配置形成されている。これにより、収容箱１０は、その上面部の前側領域の一部が天板１４によって覆われており、残りの後側の領域部分が開口した形状となっている。そして、この天板１４の配置によって、上述した逃がし孔１１Ａや長孔１２Ｈ，１２Ｈや、開閉蓋１５の配置によって低下した収容箱１０の前部構造が補強されている。
【００２３】
次いで、開閉蓋１５は、その上端側の両側部に設けられたピン１５Ｐ，１５Ｐが、前述した各側板１２，１２に貫通形成された長孔１２Ｈ，１２Ｈ内に嵌め込まれることによって、両側板１２，１２に対して回動可能に軸支連結されている。ここで、ピン１５Ｐ，１５Ｐが本発明の連結具に相当する。これにより、開閉蓋１５は、上記した各ピン１５Ｐ，１５Ｐの連結点を中心とした回転運動に伴って、収容箱１０の内部空間を開口させたり閉鎖したりする開閉操作が行えるようになっている。ここで、開閉蓋１５の中央下端部には、開閉蓋１５を開閉操作する際の把手となる取っ手１５Ａが凹み形成されている。
【００２４】
そして、開閉蓋１５の左右両端側の下端部には、その表裏両面に金属板１５Ｂ・・が一体的に貼着されている。これら金属板１５Ｂ・・は、開閉蓋１５が閉じられた時に、各側板１２，１２と底板１１との角部に設置されたマグネット１６Ａ，１６Ａとくっつく。これにより、開閉蓋１５は、金属板１５Ｂ・・とマグネット１６Ａ，１６Ａとがくっつく力によって閉じられた状態に保持されるようになっている。この開閉蓋１５は、図３に示されるように、上記した金属板１５Ｂ・・とマグネット１６Ａ，１６Ａとがくっつく力に抗して開き起こされることにより、収容箱１０の内部空間を開口させた状態となる。
【００２５】
ここで、長孔１２Ｈ，１２Ｈは、その前後側の各端部が、下方側に少し垂れ下がった形状に形成されている。これにより、ピン１５Ｐ，１５Ｐを長孔１２Ｈ，１２Ｈの前端部位置において、後方側にスライドさせてしまうことなく、開閉蓋１５の開閉操作が行えるようになっている。そして、図４に示されるように、開閉蓋１５は、上述した開き起こされた位置からピン１５Ｐ，１５Ｐを少し引き上げるかたちで後方側に押し動かすことにより、長孔１２Ｈ，１２Ｈの形状に案内されながら後方側に移送される。
【００２６】
そして、この状態で、開閉蓋１５の表面に貼着された金属板１５Ｂ・・を、収容箱１０の天板１４の裏面に設置されたマグネット１６Ｂ，１６Ｂにくっつけることにより、開閉蓋１５は天板１４の裏面に重ね合わされた姿勢状態に保持される。これにより、収容箱１０は、開閉蓋１５が開けられた、内部空間が開口した状態に保持される。したがって、この状態から、開閉蓋１５から手を放した状態で、収容箱１０の箱内に、セカンドシート２０（図１参照）や物を収容したり取り出したりすることができる。
【００２７】
そして、図５に示されるように、開閉蓋１５は、上述した天板１４の裏面側に保持された位置から、更に後方側にスライドさせてピン１５Ｐ，１５Ｐを長孔１２Ｈ，１２Ｈの後端に位置させると共に、ピン１５Ｐ，１５Ｐを中心に下方に閉じ下ろすことにより、その裏面に貼着された金属板１５Ｂ・・が、前述したマグネット１６Ａ，１６Ａよりも後退した位置に設置されたマグネット１６Ｃ，１６Ｃとくっついた状態となる。これにより、開閉蓋１５は、図３において前述したマグネット１６Ａ，１６Ａにくっつけられる時の閉鎖位置よりも後退した位置で、同じように保持されるようになっている。
【００２８】
詳しくは、開閉蓋１５は、逃がし孔１１Ａから外れた後方側の底板１１上の位置でマグネット１６Ｃ，１６Ｃにくっつけられて保持される。これにより、収容箱１０は、底板１１によって形成された座面のある領域内に収容物を囲い込める状態となる。そして、図８に示されるように、開閉蓋１５の配設位置が後退することで、サードシート３０の着座者が脚部を後方側に引いても、脚部が開閉蓋１５に当たり難くなる。
【００２９】
ここで、図２に戻って、収容箱１０の底部の左右両側箇所には、それぞれ八個ずつのローラーＲ・・が設けられている。これにより、収容箱１０は、図６に示されるように、操作者が各側板１２，１２の取っ手１２Ａ，１２Ａにそれぞれ手をかけて引き出すことで、各ローラーＲ・・の転動に伴って前方側に滑らかに引き出されるようになっている。このとき、同図に示されるように、セカンドシート２０を折畳み姿勢として前方側に跳ね上げておくことにより、収容箱１０をより前方側に引き出す操作が可能となり好適である。
【００３０】
そして、このように収容箱１０が引き出されることにより、収容箱１０は収容空間３４から出外れた状態となり、その上面部の開口が外部に露出した状態となる。これにより、この収容箱１０の上面部の開口から物を収容したり取り出したりすることが可能となる。また、図７で前述したように、サードシート３０のシートクッション３２を起こし上げることにより、収容箱１０の上側の開口を外部に露出させることができる。このとき、収容箱１０を少し前に引き出すことにより、収容箱１０の上側の開口をより広く外部に露出させることができる。
【００３１】
次に、セカンドシート２０の構成について詳しく説明する。このセカンドシート２０は、図１に示されるように、背凭れとなるシートバック２１と、着座部となるシートクッション２２とを有して構成されている。ここで、シートバック２１は、その両サイドの下端部が、リクライニング装置２３を介してシートクッション２２の後端部とそれぞれ連結されている。これにより、シートバック２１は、リクライニング装置２３の作動状態を切り換えることで、シートクッション２２に対して起立した姿勢位置に固定されたり、この固定状態が解除されてシートクッション２２の上面部に前倒しされたりするようになっている。
【００３２】
なお、リクライニング装置２３の基本的構成は、特開２００２−３６０３６８号公報等の文献に開示された公知の構成となっているため、これらの詳細な説明は省略することとする。このリクライニング装置２３は、常時はシートバック２１の背凭れ角度を固定したロック状態に附勢によって保持されている。そして、このリクライニング装置２３のロック状態は、シートバック２１の左肩口に設けられた操作レバー２１Ａを図示手前側に引き下げる操作によって、解除されるようになっている。
【００３３】
ここで、図示は省略されているが、シートバック２１とシートクッション２２との間には、シートバック２１を常時前倒し方向に附勢するばね部材が掛着されている。これにより、シートバック２１は、操作レバー２１Ａの解除操作によってリクライニング装置２３のロック状態が解除されることにより、附勢によってシートクッション２２の上面部に前倒しされるようになっている。
【００３４】
ところで、シートクッション２２は、その前後の二箇所の部位が、左右一対の構成をもつリンクアーム２４Ａ，２４Ｂによって、フロアＦ上に配設された左右一対のスライダ装置２５とそれぞれリンク連結されている。ここで、スライダ装置２５は、フロアＦ内に固定設置されたレール形状のロアレール２５Ｂと、ロアレール２５Ｂに対してレールの延びる方向にスライド可能に嵌め込まれたレール形状のアッパレール２５Ａと、を有する。
【００３５】
これらロアレール２５Ｂやアッパレール２５Ａは、それぞれ、車両の前後方向にレール形状が真っ直ぐ延びるように配置形成されている。詳しくは、ロアレール２５Ｂは、図２に示されるように、サードシート３０の下部に形成された収容空間３４の内部位置まで延びて配置形成されている。このスライダ装置２５は、図示は省略されているが、アッパレール２５Ａ上に設置されたロック爪が、両レールに形成された貫通孔に跨って入り込むことにより、アッパレール２５Ａのロアレール２５Ｂに対するスライドを規制する構成となっている。
【００３６】
このロック爪は、常時は図示しないばね部材の附勢力によって、貫通孔内に入り込む作動方向に附勢されている。そして、ロック爪は、図１に示されるように、セカンドシート２０がリンクアーム２４Ａ，２４Ｂのリンク運動に伴ってフロアＦ上に落とし込まれる動きに連動して、上記の附勢に抗して貫通孔から抜き外されるようになっている。
【００３７】
したがって、セカンドシート２０がフロアＦ上に落とし込まれることによって、アッパレール２５Ａがスライド可能な状態に切り換えられる。よって、フロアＦ上に落とし込まれた姿勢のセカンドシート２０をそのまま車両後方側にスライドさせることにより、セカンドシート２０をサードシート３０下の収容空間３４内に収容することができる。
【００３８】
ところで、上述した左右一対のリンクアーム２４Ａ，２４Ｂは、その下端部が、各アッパレール２５Ａの上面部に固定設置されたＬ字板状のブラケットＬの側板部に回動可能に軸支連結されている。そして、各リンクアーム２４Ａ，２４Ｂの上端部は、シートクッション２２の骨格フレームの側部に回動可能に軸支連結されている。これらリンクアーム２４Ａ，２４Ｂは、そのリンク運動に伴う起倒回動によって、シートクッション２２を通常の着座使用位置と、フロアＦ上に落とし込んだ倒伏位置と、の間で昇降移動させる。
【００３９】
そして、これらリンクアーム２４Ａ，２４Ｂの起倒回動は、前側のリンクアーム２４Ａの上端連結部に設けられた図示しない回転留め装置によってロックされるようになっている。ここで、回転留め装置の基本的構成は、前述したリクライニング装置２３と実質的に同じ構成となっており、常時は附勢によって回転留めしたロック状態に保持されている。そして、このロック状態は、前述したシートバック２１の左肩口に設けられた操作レバー２１Ａの引き下げ操作によって解除されるようになっている。
【００４０】
したがって、操作レバー２１Ａの解除操作を行うことにより、シートバック２１がシートクッション２２の上面部に倒し込まれると共に、セカンドシート２０全体がフロアＦ上に落とし込まれた姿勢状態となる。そして、これにより、スライダ装置２５のスライドロック状態が解除されるため、この折畳み姿勢とされたセカンドシート２０を、そのまま後方側にスライドさせてサードシート３０下の収容空間３４内に収容することができる。
【００４１】
このように、本実施例の車両のシート構造によれば、収容空間３４を囲う収容箱１０は、セカンドシート２０の未収容時には、開閉蓋１５を閉じることにより、外部から見えないように内部に物を収容したり取り出したりできるようになる。そして、図６で示したように、この収容箱１０は、セカンドシート２０の未収容時には、スライドによって収容空間３４から出外れることにより、外部に上面部の開口が露出して、そこから物を収容したり取り出したりできるようになる。
【００４２】
そして、図８で示したように、開閉蓋１５の配設位置を後退させられるようにしたことで、サードシート３０の着座者の脚部が開閉蓋１５に当たり難くなる。したがって、着座感を害することなく、収容空間３４の有効利用性を向上させることができる。更に、図４で示したように、開閉蓋１５が開いた位置で仮保持されるようになっていることにより、セカンドシート２０やその他の物を収容空間３４内に収容したり取り出したりする操作を簡単に行うことができる。
【００４３】
更に、図７で示したように、サードシート３０のシートクッション３２を起こし上げることにより、その下部に露出した収容箱１０の開口（収容空間３４）から物を収容したり取り出したりすることができる。このように、サードシート３０の下部に形成した収容空間３４を、セカンドシート２０の未収容時に収容箱１０として機能する空間として有効利用することができる。
【００４４】
以上、本発明の実施形態を１つの実施例について説明したが、本発明は上記実施例のほか各種の形態で実施できるものである。
例えば、収容空間内に配設される囲い部（収容箱）は、支持体やサードシートに一体的に固定されていてもよい。但しこの場合には、収容箱を引き出す移動が行えなくなることに留意が必要である。
また、開閉蓋は、横開きや下開きの構成となっていてもよい。但し下開きとする場合には、開閉蓋がセカンドシートの収容移動を阻害しないように別途工夫が必要となる。
【００４５】
また、セカンドシートやサードシートは、それぞれ、各一人ずつの着座者を着座させる大きさ形状に別個に分かれて形成されていてもよい。この場合には、収容箱（囲い部）の大きさも、それぞれの収容空間に合わせた大きさに形成されることとなる。
また、セカンドシートをサードシートの収容空間内に収容移動させるための機構としてスライダ装置を示したが、リンク機構等の他の機構の運動を利用してセカンドシートの収容移動を行うようにしても良い。また、セカンドシートをフロアから取り外して単純にフロア上を滑らせるようにして収容空間内に収容するようにしてもよい。
【００４６】
また、車両の前側に配設されたシートがその後側のシートの下部空間に収容される構成を示したが、シート間の配置関係は特に限定されない。したがって、例えば、前側のシートに収容空間を形成し、後側のシートを前側のシートの下部空間に収容するようにしてもよい。また、他の位置に配設されたシートを収容するようにしてもよい。そして、これらの場合には、開閉蓋を、収容するシートの配設方向側に向けて設定すると、収容や取り出しが容易となるため好ましい。
また、開閉蓋を開閉させた各姿勢位置に保持する手段としてマグネットを示したが、他の公知の貼着手段を用いることもできる。また、貼着構造に代えて、公知の引掛け構造や嵌め込み構造を採用してもよい。
【図面の簡単な説明】
【００４７】
【図１】実施例１の車両のシート構造の概略を表した側面図である。
【図２】サードシートの構成を表した斜視図である。
【図３】蓋部材の開閉操作構造を表した模式図である。
【図４】蓋部材のスライド操作構造を表した模式図である。
【図５】蓋部材の後退位置での開閉操作構造を表した模式図である。
【図６】収容箱をスライドにより前方側に引き出した状態を表した側面図である。
【図７】サードシートのシートクッションを起こし上げた状態を表した側面図である。
【図８】収納箱の蓋部材を後退移動させた状態を表した側面図である。
【符号の説明】
【００４８】
１０    収容箱（囲い部）
１１    底板
１１Ａ  逃がし孔
１１Ｂ  逃がし孔
１２    側板
１２Ａ  取っ手
１２Ｈ  長孔
１３    後板
１４    天板
１５    開閉蓋
１５Ａ  取っ手
１５Ｂ  金属板
１５Ｐ  ピン（連結具）
１６Ａ〜１６Ｃ  マグネット
２０    セカンドシート（第１シート）
２１    シートバック
２１Ａ  操作レバー
２２    シートクッション
２３    リクライニング装置
２４Ａ，２４Ｂ  リンクアーム
２５    スライダ装置
２５Ａ  アッパレール
２５Ｂ  ロアレール
Ｌ      ブラケット
３０    サードシート（第２シート）
３１    シートバック
３２    シートクッション
３３    支持体
３４    収容空間
Ｆ      フロア
Ｒ      ローラー
【図１】
0005125421.tif 000002
【図２】
0005125421.tif 000003
【図３】
0005125421.tif 000004
【図４】
0005125421.tif 000005
【図５】
0005125421.tif 000006
【図６】
0005125421.tif 000007
【図７】
0005125421.tif 000008
【図８】
0005125421.tif 000009